(57)【特許請求の範囲】
【請求項１】
ケーシング(10)内に少なくとも電解槽(13)とカルシウムタンク(11)と浄水器(12)と電装部品保護カバー(1)とを配設した整水器において、
電解槽(13)と、浄水器(12)と、電装部品保護カバー(1)とによって三方を囲んだ空間を形成し、この空間内にカルシウムタンク(11)を配置するとともに、このカルシウムタンク(11)の下方であって平面視において重合する位置に電解用トランス(TR)を配設したことを特徴とする整水器。
【請求項２】
電解用トランス(TR)を、露出状態で、ケーシング(10)内に配置したことを特徴とする請求項１記載の整水器。
【請求項３】
ケーシング(10)内に電装部品保護カバー(1)を立設し、同電装部品保護カバー(1)の一側側面に沿って上方及び下方空間にそれぞれカルシウムタンク(11)と電解用トランス(TR)とを配設し、さらに、電装部品保護カバー(1)の上部にカルシウムタンク(11)に向けて熱気流の流れを変更するオーバーハング部(2)を設けたことを特徴とする請求項１記載の整水器。
【発明の詳細な説明】
【０００１】
【産業上の利用分野】
本発明は、ケーシング内における結露の発生を防止することができる整水器に関する。
【０００２】
【従来の技術】
従来、水道水等を電気分解してアルカリ水と酸性水とを生成分離できるように構成した整水器の一形態として、浄水器と、カルシウムタンクと、電解槽とを直列に接続するとともに、一体的にケーシング内に組み込んだ整水器が提示されている。
【０００３】
かかる整水器にあっては、まず、内部に活性炭層や中空糸膜層を形成した浄水器によって水道水等を浄化し、浄化した水をカルシウムタンク内を通過させてカルシウムを浄化水中に溶出させ、その後、整水器の電解槽に送水し、電解によってアルカリ水と酸性水とをアルカリ性水生成空間と酸性水生成空間とに分離生成し、その後、カルシウムイオンを多量に含んだアルカリ水と、酸性水とを、それぞれアルカリ水導出流路と酸性水導出流路とを通して外部に導出し、それぞれの用途に応じて使用できるようにしている。
【０００４】
【発明が解決しようとする課題】
しかし、上記した整水器は、未だ、以下の解決すべき課題を有していた。
【０００５】
即ち、かかる整水器のケーシング内において、カルシウムタンク内を通過する浄水の温度とケーシング内の雰囲気温度との間に差異がある場合は、カルシウムタンクの外表面に結露を生じるおそれがあり、この結露水がケーシングの底板上に滴下して溜まり、長期間放置すると、悪臭を放ったり、ケーシング自体や締結金具類を腐食するおそれがある。
【０００６】
また、このような結露水から電解用トランスを保護するため、同電解用トランスは保護カバーによって囲まれた形態でケーシング内に配置されているが、電解トランスの全体構造を大きくすることになり、ひいては、整水器の全体構造を大型化することになっていた。
【０００７】
本発明は、上記した課題を解決することができる整水器を提供することを目的とする。
【０００８】
【課題を解決するための手段】
本発明は、ケーシング内に少なくとも電解槽とカルシウムタンクと浄水器と電装部品保護カバーとを配設した整水器において、電解槽と、浄水器と、電装部品保護カバーとによって三方を囲んだ空間を形成し、この空間内にカルシウムタンクを配置するとともに、このカルシウムタンクの下方であって平面視において重合する位置に電解用トランスを配設したことを特徴とする整水器に係るものである。
【０００９】
本発明は、また、上記構成を有する整水器を以下の構成としたことにも特徴を有する。
【００１０】
（１）電解用トランスを、露出状態で、ケーシング内に配置する。
【００１２】
（２）ケーシング内に電装部品保護カバーを立設し、同電装部品保護カバーの一側側面に沿って上方及び下方空間にそれぞれカルシウムタンクと電解用トランスとを配設し、さらに、電装部品保護カバーの上部にカルシウムタンクに向けて熱気流の流れを変更するオーバーハング部を設ける。
【００１３】
【実施例】
本発明に係る整水器Ａを、以下に示す実施例を参照して具体的に説明する。
【００１４】
（整水器Ａの概念的全体構成)
図１に、本発明に係る整水器Ａを、システムキッチンの流し台Ｂ上に載置した状態を示し、図２に整水器Ａの内部構造を概念的に示す。
【００１５】
図２に示すように、整水器Ａは、そのケーシング10の内部に、カルシウムタンク11と、浄水器12と、電解槽13と、制御部14とを内蔵しており、また、その表面に、図１及び図２に示すように、操作盤15を取付けている。
【００１６】
また、図２において、カルシウムタンク11の原水流入開口部11a は、原水配管16と第１原水供給管16a によって湯水混合栓等を取付けた蛇口等の水道水供給部17と接続しており、同原水配管16の中途には、上流側から下流側に、順に、流路切替弁50と、逆止弁51と、定流量弁52と、安全弁53と、熱水流入防止機構54とが介設されている。
【００１７】
一方、同カルシウムタンク11の流出口11b は、第２原水供給管16b を介して内部に活性炭部と中空糸膜部とを具備する浄水器12の原水流入開口部12a に接続されており、一方、浄水器12の浄水流出開口部12b は、浄水供給管16c を介して電解槽13の流入口13a に接続されている。
【００１８】
電解槽13内には、隔膜18によって、アルカリ性水生成空間19と酸性水生成空間20とが区画形成されており、それぞれの空間19,20 内には電極21,22 が配設されている。そして、この電極21,22 に制御部14を介して正負の電圧を印加することによって、電解槽13内で電気分解を行い、それぞれの空間19,20 内にアルカリ性水と酸性水とを生成することができる。
【００１９】
電解槽13は、それぞれ、アルカリ性水生成空間19と酸性水生成空間20と連通するアルカリ性水流出口13b と酸性水流出口13c を具備しており、アルカリ性水流出口13b はアルカリ性水導出管16d の上流端と接続されており、同アルカリ性水導出管16d の他端には吐出口23が形成されており、酸性水流出口13c は第１, 第２酸性水導出管16e,16f の上流端と接続されており、同酸性水導出管16f の他端には吐水口23a が形成されている。
【００２０】
また、図２に示すように、制御部14に接続した操作盤15には、電源スイッチPSと、浄水・整水・濃度切換スイッチ24とが設けられており、同スイッチ24は後述する圧力スイッチ28から制御部14へのオン入力によりオンして、電解槽13内の電極21,22 に電圧を印加してイオン水を生成可能としている。
【００２１】
(整水器Ａの具体的全体構成)
以下、上記した機能を有する整水器Ａの具体的な構成を、図３〜図７を参照して説明する。
【００２２】
まず、ケーシング10の構成について説明すると、図３〜図７に示すように、ケーシング10は、底板10d と、同底板10d 上に立設し、それぞれ、平面視で両側を後方及び前方に向けて屈曲した表面側ケーシング部材10a 及び背面側ケーシング部材10b と、上部蓋ケーシング10c とから構成される。
【００２３】
次に、ケーシング10内におけるカルシウムタンク11と、浄水器12と、電解槽13と、制御部14と、操作盤15の配置について説明する。
【００２４】
ケーシング10内は、図５に示すように、電装品保護カバー１によって前後方向に区画されている。
【００２５】
そして、表面側ケーシング部材10a と電装品保護カバー１との間には電装品設置空間３が形成されており、電装品保護カバー１と背面側ケーシング部材10b との間には電解槽等設置空間５が形成されている。
【００２６】
そして、図４及び図５において、電装品保護カバー１の右側をなす電解槽等設置空間５内には、カルシウムタンク11と、浄水器12と、電解槽13とが配設されている。
【００２７】
一方、図５において、電装品保護カバー１の左側をなす電装品設置空間３内には、制御部14を構成する電解用制御基板７が配設されている。また、同電装品保護カバー１の上部には、操作盤15と操作用制御基板６とが、電解用制御基板７とは独立した状態で配設されている。
【００２８】
次に、ケーシング10内におけるカルシウムタンク11と、浄水器12と、電解槽13の配管系路について説明すると、原水配管16の下流端は、ケーシング10の底板10d に設けた配管接続ユニットＵと第１原水供給配管16a とを介してカルシウムタンク11の原水流入開口部11a に連通連結されている。
【００２９】
カルシウムタンク11の原水流出開口部11b は、浄水器12の原水流入開口部12a に第２原水供給配管16b を介して接続されている。
【００３０】
一方、浄水器12の浄水流出開口部12b は、浄水供給配管16c を介して、電解槽13の底部に設けた一対の流入口13a,13a に接続されている。
【００３１】
さらに、電解槽13の頂部に設けたアルカリ性水流出口13b は、図５に示すように、後述する配管接続部ＪやＬ字状回転スリーブ65等を介して、ケーシング10の外部に首振自在に配設したアルカリ性水導出管16d に接続されている。
【００３２】
一方、電解槽13の頂部に設けた酸性水流出口13c は、第１, 第２酸性水導出配管16e,16f 及びケーシング10の底板10d に設けた配管接続ユニットＵを介してケーシング10の外部と接続されている。
【００３３】
(本発明を特徴づける構成)
上記した構成を有する整水器Ａにおいて、本発明は、実質的に、電解槽13に用いる電解用トランスTRとカルシウムタンク11との相対的な配置関係に特徴を有する。
【００３４】
即ち、図４に示すように、カルシウムタンク11は電解槽等設置空間５内において上方に配置されており、一方、図４に示すように、電解用トランスTRは電解槽等の設置空間５の下方であって、かつ、図７に示すように、平面視で、カルシウムタンク11と重合する位置に配設されている。
【００３５】
従って、電解槽13を作動した際、電解用トランスTRが外部に熱を発生することになるが、この熱によって生じた上昇熱気流は、カルシウムタンク11の外表面に接触することになる。その結果、カルシウムタンク11の外表面やカルシウムタンク11に接続される配管の外表面に結露が生じるのを確実に防止することができ、結露に起因するケーシングや各種締結金具の腐食を確実に防止することができることになる。
【００３６】
また、カルシウムタンク11やその周縁配管からの結露水が電解トランスTRにかかるのも防止することができるので、電解用トランスTRを電解槽等設置空間５内において露出状態に配置することができる。即ち、電解トランスTRを結露水等から保護するためのトランス保護カバーを不要とすることができるので、電解槽等設置空間５の有効スペースを可及的に小さくでき、整水器Ａのコンパクト化を図ることができる。
【００３７】
なお、電解槽13は、それ自体、熱を発するので、外表面の結露を心配する必要がなく、また、浄水器12の要部をなす浄水器カートリッジ35は浄水器カートリッジ収納ケーシング34内に収納されているので、同様に、外表面の結露を心配する必要はないことになる。
【００３８】
また、図７に示す底面図から明らかなように、カルシウムタンク11は、電解槽13と、浄水器12と、電装品保護カバー１とで、三方を囲まれた空間内に配設されている。
【００３９】
従って、電解用トランスTRから発生した熱が同空間内に溜まり、カルシウムタンク11の外周面への結露の発生をより確実に防止することができる。
【００４０】
さらに、本実施例では、図６に示すように、電装品保護カバー１は、その上部にカルシウムタンク11に向けて突出するオーバーハング部２を設けている。
【００４１】
従って、電解トランスTRから発生した上昇熱気流は、このオーバーハング部２によって気流の流れ方向を変更され、カルシウムタンク11の外周面に直交状態に当たることになる。従って、この面からも、カルシウムタンク11の外周面への結露の発生をより確実に防止することができる。
【００４２】
(本実施例に係る整水器Ａのその他の構成）
イ) ケーシング10の構造
ケーシング10は、図４〜図７に示すように、実質的に、底板10d と、同底板10d 上に立設し、それぞれ、平面視で両側を後方及び前方に向けて屈曲した表面側ケーシング部材10a 及び背面側ケーシング部材10b とからなる３分割構造となっている。そして、背面側ケーシング部材10b には水廻り部材であるカルシウムタンク11と、浄水器12と、電解槽13とが取り付けられており、表面側ケーシング部材10a には電装部品が取り付けられており、底板10d には重量物である電解用トランスTRを取り付けている。
【００４３】
従って、ケーシング10の各構成部材である底板10d と、表面側ケーシング部材10a と、背面側ケーシング部材10b とをそれぞれ独立して組立し、最終ラインで全部を組み立てることができる。即ち、一つの生産ラインが使用できなくても、他の生産ラインは使用することができるので待ち時間を無くすことができ、組立作業性を向上して生産効率を高めることができる。
【００４４】
また、ケーシング10は、図４に示すように、その底板10d の４隅を下方に膨出して、内側に凹部10f を具備する中空脚部10e を形成しており、また、同凹部  10f は、後述する集中配管構造の配管接続ユニットＵの近傍に配置している。一方、同中空脚部10e の底部には、同凹部10f と連通する水抜き孔10g が設けられている。
【００４５】
従って、万一、配管接続ユニットＵにおいて相当量の水が漏れた場合であっても、凹部10f と水抜き孔10g を通して速やかに漏水を外部に排出することができる。
【００４６】
さらに、中空脚部10e の底部は下方にわずかに膨出しており、中空膨出部10h の底面には滑り止め部材10i が嵌着されている。
【００４７】
ロ）ケーシング10の内部構造
電装品保護カバー１は、図５に示すように箱型形状を有しており、その内部に高電圧で作動する電解用制御基板７を収納するための充分なスペースを有する電装品設置空間３を形成するとともに、電解用制御基板７等を全周から囲繞して防水効果を高めている。
【００４８】
さらに、このように電装品保護カバー１で囲繞した電装品設置空間３の上部には、低電圧で作動する操作用制御基板６と操作盤15とが、電解用制御基板７とは完全に独立した形態で設置されている。即ち、低電圧で作動する操作用制御基板６と、高電圧で作動する電解用制御基板７とは電装品保護カバー１によって水密的に区画されている。
【００４９】
従って、例えば、整水器Ａを台所のシンクＳ上に設置した際、蛇口からの飛散水が操作用制御基板６を設置した低電圧使用部内に侵入した場合であっても、高電圧使用部である電装品設置空間３内に侵入するのを確実に防止することができ、漏電等による人身事故を確実に防止することができる。
【００５０】
操作盤15は、その前面に、後述するように、複数の機能スイッチPS,24,75,76 と、作動状態表示用ランプL1〜L9とを取付けているが、かかる操作盤15も防水性を高めるのが望ましいので、外部からの飛散水に対する水密性を高めるため、操作盤15の前方をなす位置において、表面側ケーシング10a には、防水性の操作スイッチ取付シート８が貼着されている。
【００５１】
ハ) 水道水供給部17から浄水器12までの配管構造
図２を参照して既に説明したように、原水配管16には、上流側から下流側に、順に、流路切替弁50と、逆止弁51と、定流量弁52と、安全弁53と、熱水流入防止機構54とが介設されている。
【００５２】
上記構成において、流路切替弁50は、図２に示すように、ブロック状の弁本体50a の上面に原水流入口50b とを設けるとともに、その一側側面に整水用原水流出口50f を設け、さらに、その下面に、原水直接取出口50d を設けている。
【００５３】
また、弁本体50a 内には、原水流入口50b に接続した第１連絡通路50g と、整水用原水流出口50f に接続した第２連絡通路50h と、原水直接取出口50d に連通した第３連絡通路50j を設けており、第１連絡通路50g は、流路切替軸50k の回動操作によって、第２連絡通路50h 又は第３連絡通路50j に選択的に連通連結されることになる。
【００５４】
なお、50m は流路切替軸50k を回転するための回転ハンドルである。
【００５５】
かかる構成において、通常使用時 (整水時) においてアルカリ性水を吐出したい場合は、回転ハンドル50m の操作によって、流路切替軸50k は図２に示す状態にあり、水道水供給部17に接続した原水配管16の上流側は、第１連絡通路50g 及び第２連絡通路50h を介して原水配管16の下流側と連通している。
【００５６】
同様に、電極洗浄時や酸性水を流出したい場合も、上記した通常使用時と同様に、流路切換軸50k は図２に示す状態にあり、水道水供給部17に接続した原水配管16の上流側は、第１連絡通路50g 及び第２連絡通路50h を介して原水配管16の下流側と連通している。
【００５７】
一方、回転ハンドル50m の操作によって、流路切換軸50k を、図２において時計方向に90°回転すると、水道水供給部17に接続した原水配管16の上流側と、原水配管16の下流側との連通は遮断されるが、同上流側は、第３連絡通路50j を介して原水直接取出口50d に連通連結されることになる。
【００５８】
また、図４から明らかなように、ケーシング10の底板10d には配管接続ユニットＵが取り付けられており、同配管接続ユニットＵは、上面側に二つの連結用プラグP1, P2を具備するとともに、その下面側に二つの挿入孔H1, H2を具備している。そして、配管ユニットＵの挿入孔H1にはエルボ34h の上端が回動自在に装着されており、同エルボ34h の下端は原水配管16に連通連結されている。同エルボ34h の上端には第一原水供給配管16a の上流端が連通連結されており、同第一原水供給配管16a の上端はエルボ34j を介してカルシウムタンク11の原水流入開口部11a が連通連結されている。
【００５９】
この配管接続ユニットＵに設けたもう一つの挿入孔H2にはエルボ34i の上端が回動自在に装着されており、同エルボ34i の下端は後述する第２酸性水導出管16f に連通連結されている。一方、同エルボ34i と連通する連結用プラグP2には、第１酸性水導出管16e の下流端が連通連結されており、同第１酸性水給配管16e の上端はエルボ (図示せず) を介して電解槽13の酸性水流出口13c(図２参照) に連通連結されている。
【００６０】
さらに、この配管接続ユニットＵには、後述する電解槽13の底部に設けた浄水流入口13a,13a に連通連結される一対の接続口13f,13f を有する接続管13e が一体的に設けられている。
【００６１】
このように、配管接続ユニットＵは、原水配管16の本体接続部と、酸性水導出管16e,16f の本体接続部と、電解槽13に接続される接続管13e とを一体的に構成した集中配管構造を有する。従って、整水器Ａの組み立てを容易に行うことができる。また、配管接続ユニットＵを一体成形した場合は、部品点数を少なくでき、整水器Ａの組立がさらに容易となり、かつ、整水器Ａ自体もコンパクトな構造とすることができ、メンテナンスも容易になる。
【００６２】
また、配管接続ユニットＵは、その連結用プラグP1, P2と、挿入孔H1, H2と、接続口13f,13f とを同一方向に配列しているので、配管の接続を容易に行うことができる。
【００６３】
ニ) カルシウムタンク11
図２及び図４に示すように、本実施例では、カルシウムタンク11は浄水器12より上流側に配置している。従って、カルシウムタンク11内にカビ臭が発生した場合であっても、このカビ臭を浄水器12中の活性炭や中空糸膜で除去できるので、臭いのないアルカリ性水をアルカリ性水導出管16d より吐出することができる。
【００６４】
また、図４に示すように、本実施例では、カルシウムタンク11はケーシング10の中央上部に配設されており、浄水器カートリッジ収納ケーシング34の鍔部34d によって上部を吊下状態に支持された筒状のカルシウムカートリッジ収納ケーシング40と、同ケーシング40内に上下方向に着脱自在に収納された交換自在なカルシウムカートリッジ41とからなる。
【００６５】
まず、カルシウムカートリッジ収納ケーシング40の構成について説明すると、同ケーシング40は、その縦長筒状のケーシング本体の側壁上部に筒状の原水流入開口部11a を形成するとともに、その底壁中央部に原水流出開口部11b を形成している。
【００６６】
そして、原水流入開口部11a には第１原水供給管16a の下流端を連通連結され、一方、原水流出開口部11b には第２原水供給管16b の上流端が連通連結されている。
【００６７】
このように、本実施例では、原水流入開口部11a をカルシウムタンク11の上部に設けるとともに、原水流出開口部11b をカルシウムタンク11の下部に設けたので、カルシウムカートリッジ41を交換時にキャップを取り外した際、誤って蛇口等の水道供給部17を操作して原水供給を行っても、カートリッジ41内のグリセロリン酸カルシウム等のカルシウム付与剤のうち上方部分のみが外部に流出し、流出による損失を最小限にくい止めることができる。
【００６８】
一方、従来のように、原水流入開口部11a をカルシウムタンク11の下部に設けるとともに、原水流出開口部11b をカルシウムタンク11の上部に設けた場合は、カルシウム付与剤を全部外部に流出することになり、損失が大きい。
【００６９】
次に、カルシウムカートリッジ41の構成について説明すると、図４に示すように、カルシウムカートリッジ41は、内部にカルシウム付与剤を充填した縦長筒状のカートリッジ本体41a と、カートリッジ本体41a の上部に取付け、カルシウムカートリッジ収納ケーシング40から、カートリッジ本体41a と一体的に装着・取り外し可能なキャップ41b とからなる。
【００７０】
また、カルシウムカートリッジ41の交換は、同カートリッジ41をカルシウムカートリッジ収納ケーシング40から取り外し、次にキャップ41b をカートリッジ本体41a から取り外し、カルシウム付与剤を交換し、その後、逆の手順でカルシウムカートリッジ41をカルシウムカートリッジ収納ケーシング40に装着することによって容易に行うことができる。
【００７１】
ホ) 浄水器12
浄水器12は、図４に示すように、正面視において、ケーシング10内の右側空間内に配設されている。
【００７２】
図４及び図６から明らかなように、浄水器12は、前壁10a の上縁部と、背面側ケーシング部材10b の上縁部とによって上部を吊下状態に支持された筒状の浄水器カートリッジ収納ケーシング34と、同ケーシング34内に上下方向に着脱自在に収納された交換自在な浄水器カートリッジ35とからなる。
【００７３】
まず、浄水器カートリッジ収納ケーシング34の構成について説明すると、図６に示すように、その底面に、間隔を開けて、それぞれ筒状の原水流入開口部12a と、浄水流出開口部12b とを設けている。
【００７４】
一方、浄水器カートリッジ収納ケーシング34の上部には、図５に示すように、上記した前壁10a の上縁部と背面側ケーシング部材10b の上縁部とに嵌合・係止される鍔部34d が形成されている。
【００７５】
次に、浄水器カートリッジ35の構成を説明すると、図示しないが、そのケーシング内の周縁部に環状の活性炭部を形成するとともに、同活性炭部の内部に有孔の環状隔壁を介して同心円的に中空糸膜部を配設している。
【００７６】
また、浄水器カートリッジ35は、その底板35e の周縁部と中央部とに、それぞれ、筒状の原水流入開口部35f と浄水流出開口部35g とを突設している。
【００７７】
そして、かかる原水流入開口部35f と浄水流出開口部35g とは、その上部を、それぞれ、活性炭部と中空糸膜部とに連通連結している。
【００７８】
一方、図４に示すように、浄水器カートリッジ35の原水流入開口部35f と浄水流出開口部35g の筒部は、それぞれ、上述した浄水器カートリッジ収納ケーシング34の原水流入開口部12a と浄水流出開口部12b とに嵌入されている。
【００７９】
へ) 浄水器12と第２原水供給管16b との接続構造
次に、浄水器11と第２原水供給管16b との接続構造について説明すると、図４から明らかなように、浄水器カートリッジ収納ケーシング34の原水流入開口部12a にはエルボ35m が取付けられており、さらに、同エルボ35m には相対回転自在なもう一つのエルボ35n を介して第２原水供給管16b の上流端と連通連結されている。
【００８０】
ト) 浄水器12と浄水供給管16c との接続
浄水器カートリッジ収納ケーシング34の浄水流出開口部12b は直管部35p とエルボ35q を介して浄水供給管16c に連通連結されている。
【００８１】
また、直管部35p の中途には、浄水・整水切替スイッチ24を作動させるための圧力スイッチ28が取付けられている。
【００８２】
チ) 電解槽13
図４に示すように、電解槽13は、正面視において、ケーシング10に設けた電解槽等設置空間５の左側に配設されており、偏平矩形状の箱体からなるケーシング13d は、その内部に、図２を参照して説明したように、隔膜18によって区画されたアルカリ性水生成空間19と酸性水生成空間20とを形成している。
【００８３】
リ) 電解槽13とアルカリ性水導出管16d との接続構造
図４及び図６に示すように、電解槽13のケーシング13d の上端に設けたアルカリ性水流出口13b には全周方向に回動ないし首振自在なエルボからなる配管接続部Ｊの基端が取付けられている。
【００８４】
一方、同配管接続部Ｊの先端は、図４及び図６に示すように、表面側ケーシング部材10a の上部天板61a と背面側ケーシング部材10b の上部天板61b に取付けた外部取出用垂直管62の下端に一体的に取付けたエルボ63と水密的に接続されている。
【００８５】
外部取出用垂直管62内には、両端開口のＬ字状回転スリーブ65の垂直筒部66が配設されている。
【００８６】
一方、Ｌ字状回転スリーブ65の上端水平部には、図６及び図８に示すように、フレキシブル管からなるアルカリ性水導出管16d の基端部が、Ｏリング81,82 と締結ナット84を介して連結されている。
【００８７】
即ち、図８に示すように、Ｌ字状回転スリーブ65の上端水平部は、その先端に外周に雄ねじ部を有する雄ねじ筒部65a を設けている。
【００８８】
一方、アルカリ性水導出管16d の基端部は、大径筒部70と、この大径筒部70の先端に基端を連設した小径筒部72とからなり、この小径筒部72は、その先端に漏水防止用Ｏリング81を装着した環状溝部81a を具備するとともに、その基端に抜け止め用Ｏリング82を装着している。
【００８９】
さらに、この小径筒部72は、その基端側に内周に雌ねじ部を有する締結ナット84を回動自在に取付けている。
【００９０】
従って、アルカリ性水導出管16d の小径筒部72をＬ字状回転スリーブ65の雄ねじ筒部65a 内に嵌入するとともに、締結ナット84の雌ねじ部を雄ねじ筒部65a の雄ねじ部に螺合することによって、Ｌ字状回転スリーブ65に、アルカリ性水導出管16d を水密的にかつ抜け止めを図りながら、さらに、相対回転自在にＬ字状回転スリーブ65に確実に連結することができる。
【００９１】
このように、本実施例では、アルカリ性水導出管16d をＬ字状回転スリーブ65に取付けるに際して、実質的に一対のＯリング81,82 と締結ナット84のみを用いればよいので、部品点数を減らすことができ、組み立てが容易になるとともに、整水器Ａの製造費の低減も図ることができる。
【００９２】
ヌ) 電解槽13と第１酸性水導出管16e との接続構造
電解槽13と第１酸性水導出管16e との接続構造について説明すると、図４及び図５に示すように、ケーシング13d の上端に設けた酸性水流出口13C には図示しないエルボの基端が首振自在に接続されており、同エルボの先端には第１酸性水導出管16e の上端が接続されており、一方、同第１酸性水導出管16e の下端は、配管接続ユニットＵの左側に設けた連結用プラグP2に接続されることになる。
【００９３】
ル) 制御部14と操作盤15の構造
制御基板からなる制御部14と操作盤15とは、図２, 図３, 図５及び図９に示すように、表面側ケーシング部材10a の一部を形成する操作スイッチ取付シート８によってカバーされている。
【００９４】
制御部14は、以下に説明する操作盤15上の各種スイッチ群からの入力信号や圧力スイッチ28からの入力信号に基づいて、電解槽13のオン・オフ制御や濃度制御や各種表示体の点滅を行うことができる。
【００９５】
操作盤15は、図２及び図９に示すように、スイッチ群として、前記した電源スイッチPS及び浄水・整水・濃度切替スイッチ24の他に、さらに、浄水器12の積算使用時間用タイマーを作動させるためのリセットスイッチ76と、電解槽13を逆洗するための洗浄スイッチ75とを設けている。
【００９６】
また、操作盤15は、図２及び図９に示すように、表示体群としては、浄水・整水・濃度切替スイッチ24のオン・オフ動作によって点灯する濃度別のアルカリ性水吐出表示部D1〜D3及びアルカリ性水吐出表示ランプL1〜L3と、浄水吐出表示ランプL4と、酸性水吐出表示ランプL5と、現実にアルカリ性水又は酸性水が生成されているかを示すアルカリ性水生成中表示ランプL6及びアルカリ性水生成停止表示ランプL7と、浄水カートリッジ交換表示ランプL8と、電極洗浄が必要であることを知らせる電極要洗浄表示ランプL9とを具備している。
【００９７】
さらに、操作盤15は、その上面に警報音を発生するブザー79を設けている。
【００９８】
上記構成において、図３及び図９に示すように、浄水・整水・濃度切替スイッチ24と、リセットスイッチ76と、洗浄スイッチ75とは、操作スイッチ取付シート８上において、高さ方向のみならず、幅方向にも間隔を設けて斜め方向に一定の間隔を開けて配設している。
【００９９】
従って、整水器Ａが水廻り製品であることによって、スイッチ群のうちの特定のスイッチを操作しようとして、指がすべっても、他のスイッチを操作するといった誤動作を確実に防止することができる。
【０１００】
また、本実施例では、図３、図５及び図６から明らかなように、操作スイッチ取付シート８は、一定の傾斜角度をもって後傾した状態にあるので、使用者は、スイッチ群を操作しやすく、また、各スイッチへの指の押圧による操作力は、操作スイッチ取付シート８の傾斜面と直交する方向になり、整水器Ａの底面後部に向かうので、転倒モーメントを可及的に小さくすることができ、整水器Ａの転倒事故を確実に防止することができる。
【０１０１】
(整水器Ａの動作）
以下、上記した機能を有する整水器Ａの動作について、図10〜図12に示す状態遷移図を参照して具体的に説明する。
【０１０２】
尚、以下の前提条件が予めプログラムされている。
【０１０３】
▲１▼通常動作においては、電源スイッチPSをオンすると、浄水・整水・濃度切替スイッチ24はアルカリ性水「弱」モードになる。
【０１０４】
▲２▼その後、浄水・整水・濃度切替スイッチ24を一回押すごとに、モードが、順に、アルカリ性水「中」モード→アルカリ性水「強」→浄水モード→酸性水モードに切り替わる。
【０１０５】
▲３▼圧力スイッチ28の累積使用時間が設定時間 (例えば、100 時間) に達したことを検出すると、浄水カートリッジ交換表示ランプL8が点灯する。その後、浄水カートリッジを交換し、リセットスイッチ76を１秒以上押すと累積使用時間が零に更新される。なお、１秒としたのは、リセットスイッチ76に瞬時に押圧力がかかる際の誤動作等に対処するためである。
【０１０６】
▲４▼使用中、浄水器12の中空糸膜が詰まり、アルカリ性水の吐出が悪くなった場合には、圧力スイッチ28の累積使用時間が設定時間 (例えば、100 時間) に達していない場合でも強制的にカートリッジを交換する必要がある。この場合は、カートリッジを交換した後、リセットスイッチ76を５秒間押しつづけることによって累積使用時間を零に更新することができる。
【０１０７】
▲５▼浄水カートリッジ交換ランプL8が点灯していても、通常通り、浄水・整水・濃度切替スイッチ24のオン・オフ操作を受け付けるようにしている。使用者の使い勝手を考慮したものである。
【０１０８】
▲６▼圧力スイッチ28の累積使用時間が設定時間( 例えば、20時間 )に達すると、電極要洗浄表示ランプL9がブザー78からの警報音とともに点灯する。洗浄スイッチ75を１秒間押すと、逆洗モードとなり、逆洗が開始される。なお、逆洗中は警報音が発しながら、電極要洗浄表示ランプL9が点滅する。
【０１０９】
なお、１秒としたのは、浄水カートリッジの交換の際と同様に、リセットスイッチ76に瞬時に押圧力がかかる際の誤動作等に対処するためである。
【０１１０】
▲７▼圧力スイッチ28が20時間経過する前の強制的に逆洗したい場合は、洗浄スイッチ76を５秒間続けて押すことによって逆洗が開始する。
【０１１１】
以下、図10〜図12に示す状態遷移図を用いて、各動作状態を説明する。
【０１１２】
(動作状態ａ)
電源スイッチPSをオンすると、アルカリ性水「弱」モードになる。しかし、整水器13は作動しておらず、浄水、整水のいずれも行われていない。
【０１１３】
(動作状態ｂ)
水道水供給部17である蛇口をひねると、原水の供給を開始すると、圧力スイッチ28がオンし、動作状態ａから動作状態ｂに移行し、整水器13がアルカリ性水  「弱」モードで電解作用を開始する。従って、アルカリ性水をアルカリ性水導出管16より吐出することができる。
【０１１４】
蛇口を閉じると、動作状態ｂから元の動作状態ａに移行し、アルカリ性水の吐出が停止する。
【０１１５】
(動作状態ｃ)
動作状態ａにおいて、浄水・整水・濃度切替スイッチ24を三回押すと浄水吐出モードである動作状態ｃに移行する。しかし、圧力スイッチ28はオンしていないので、この状態では、浄水を吐出することはできない。一方、動作状態ｂにおいて、浄水・整水・濃度切替スイッチ24を三回押すと、動作状態ｃを瞬間的に通して、動作状態ｄに移行する。この状態では圧力スイッチ28はオンしているので、浄水をアルカリ性水導出管16より吐出することができる。
【０１１６】
(動作状態ｄ)
動作状態ｃにおいて、水道水供給部17である蛇口をひねり、原水の供給を開始すると、圧力スイッチ28がオンし、動作状態ｃから動作状態ｄに移行し、浄水をアルカリ性水導出管16d より吐出することができる。
【０１１７】
(動作状態ｅ)
動作状態ｃにおいて、浄水・整水・濃度切替スイッチ24を一回押す酸性水吐出モードである動作状態ｅに移行する。しかし、圧力スイッチ28はオンしていないので、この状態では、酸性水を吐出することはできない。一方、動作状態ｄにおいて、浄水・整水・濃度切替スイッチ24を一回押すと、動作状態ｅを瞬間的に通して、動作状態ｆに移行する。この状態では圧力スイッチ28はオンしているので、酸性水をアルカリ性水導出管16より吐出することができる。
【０１１８】
(動作状態ｆ)
水道水供給部17である蛇口をひねり、原水の供給を開始すると、圧力スイッチ28がオンし、動作状態ｅから動作状態ｆに移行し、酸性水をアルカリ性水導出管16d より吐出することができる。
【０１１９】
また、この動作状態から、浄水・整水・濃度切替スイッチ24を押す、又は、蛇口を閉じて圧力スイッチ28をオフにすると、動作状態ａに移行する。
【０１２０】
(動作状態ｇ)
動作状態ｂ又はｆにおいて、整水動作が開始してから６分間経過する場合、又は温度センサによる検出値が設定温度値を越えている場合、又は、過電流検出センサが過電流を検出した場合は、ブザー79によって警報音を発するとともに、整水器13が整水動作を自動的に停止する。
【０１２１】
この動作状態において、警報音は、以下に説明する動作状態ｈにおける逆電解時の警報音と異なった音色としている。異常事態であることを使用者に知らせるためである。
【０１２２】
その後、蛇口を閉じると、動作状態ｇから元の動作状態ａに移行する。
【０１２３】
(動作状態ｈ)
圧力スイッチ28の累積使用時間が設定時間( 例えば、20時間 )に達すると、電極要洗浄表示ランプL9がブザー78からの警報音とともに点灯する。動作状態ｂ, ｄ, ｆにおいて、洗浄スイッチ75を１秒間押すと、まず待機モードであるこの動作状態ｈに、それぞれの動作状態ｂ, ｄ, ｆから瞬間的に移行し、その後、累積逆洗時間が１分50秒以内の場合は、動作状態ｉに移行し、累積逆洗時間が１分50秒以上２分未満の場合は、動作状態ｊに移行する。
【０１２４】
(動作状態ｉ, ｊ)
整水器13に逆電解をかけ、整水器13の電極の洗浄を行う。累積逆洗時間が１分50秒を越えると動作状態ｊに移行し、逆電解を終了する。
【０１２５】
しかし、この動作状態において、逆電解の終了後の10秒間は、電極用洗浄表示ランプL9の点灯と、ブザー78からの警報音を継続する。逆電解終了によってアルカリ性水の吐出が可能となるが、酸性水が電解槽13やアルカリ性水導出管16d 内にわずかに残っており、完全に酸性水が電解槽13から除去された後、アルカリ性水の生成・吐出を可能とするためである。
【０１２６】
(動作状態ｋ)
動作状態ｉにおける逆洗中に、温度センサによる検出値が設定温度値を越えている場合、又は、過電流検出センサが過電流を検出した場合は、逆洗動作を停止する。
【０１２７】
その後、蛇口を閉じると、動作状態ｋから元の動作状態ａに移行する。
【０１２８】
以上、本発明を、図示の実施例を参照して説明してきたが、本発明は実施例記載の構成に何ら限定されるものではなく、例えば、カルシウムタンクに代えて食塩タンクを用いることもでき、この場合は、酸性水の濃度を高め、良好な殺菌性を有する整水を得ることができる。
【０１２９】
【発明の効果】
（１）本発明では、ケーシング内に少なくとも電解槽とカルシウムタンクと浄水器と電装部品保護カバーとを配設した整水器において、電解槽と、浄水器と、電装部品保護カバーとによって三方を囲んだ空間を形成し、この空間内にカルシウムタンクを配置するとともに、このカルシウムタンクの下方であって平面視において重合する位置に電解用トランスを配設している。
【０１３０】
すなわち、電解槽を作動した際に電解用トランスが発生させた熱によって生じた上昇熱気流がカルシウムタンクの外表面に接触し、その結果、カルシウムタンクの外表面やカルシウムタンクに接続される配管の外表面に結露が生じるのを確実に防止することができ、結露の起因するケーシングや各種締結金具の腐食を確実に防止することができる。特に、カルシウムタンクを、電解槽と、浄水器と、電装品保護カバーとで三方を囲まれた空間内に配設したことによって、電解用トランスから発生した熱が同空間内に溜まり、カルシウムタンクの外周面への結露の発生をより確実に防止することができる。
【０１３１】
（２）カルシウムタンクやその周縁配管からの結露水が電解トランスにかかるのも防止することができるので、電解用トランスを電解槽等設置空間内において露出状態に配置することができる。即ち、電解トランスを結露水等から保護するためのトランス保護カバーを不要とすることができるので、電解槽等設置空間の有効スペースを可及的に小さくでき、整水器のコンパクト化を図ることができる。
【０１３３】
（３）電装品保護カバーの上部にカルシウムタンクに向けて突出するオーバーハング部を設けた場合は、電解トランスから発生した上昇熱気流の流れを、このオーバーハング部によってカルシウムタンクの方向へ変更することができる。従って、上昇熱気流をカルシウムタンクの外周面に直交状態に当てることができ、この面からも、カルシウムタンクの外周面への結露の発生をより確実に防止することができる。
【図面の簡単な説明】
【図１】本発明に係る整水器の設置状態を示す斜視図である。
【図２】同整水器の概念的構成を示す構成説明図である。
【図３】同整水器の全体構成を示す斜視図である。
【図４】同断面正面図である。
【図５】図４のI-I 線による断面側面図である。
【図６】図４のII-II 線による断面側面図である。
【図７】同底面図である。
【図８】アルカリ性水導出配管の接続部の拡大説明図である。
【図９】操作部の拡大平面図である。
【図１０】整水器の動作を示す遷移図である。
【図１１】整水器の動作を示す遷移図である。
【図１２】整水器の動作を示す遷移図である。
【符号の説明】
Ａ  整水器
１  電装品保護カバー
２  オーバーハング部
10  ケーシング
11  カルシウムタンク
12  浄水器
13  電解槽
【図１】
0003638988.tif 000002
【図２】
0003638988.tif 000003
【図３】
0003638988.tif 000004
【図４】
0003638988.tif 000005
【図５】
0003638988.tif 000006
【図６】
0003638988.tif 000007
【図７】
0003638988.tif 000008
【図８】
0003638988.tif 000009
【図９】
0003638988.tif 000010
【図１０】
0003638988.tif 000011
【図１１】
0003638988.tif 000012
【図１２】
0003638988.tif 000013